(57)【要約】【課題】  妊婦にとって履きやすい靴を提供する。【解決手段】  妊婦用靴１０は、足の甲を覆う甲皮部１３，１４と、甲皮部１３，１４に連続する内側側皮部１５および外側側皮部１６と、内側および外側の側皮部１５，１６が甲皮部１３，１４の反対側で当接する部分に設けられ、踵を保持する踵部１８とを備えており、踵部１８の靴底１１上の位置は、踵部１８を当該靴１０の踵側から見たとき、靴底１１の中央部から外側にずれた位置に設けられる。【選択図】      図１
2007054302.tif 000002
【特許請求の範囲】
【請求項１】
足の甲を覆う甲皮部と、前記甲皮部に連続する内側側皮部および外側側皮部と、前記内側および外側の側皮部が前記甲皮部の反対側で当接する部分に設けられ、踵を保持する踵部とを備えた妊婦用靴であって、
前記踵部の靴底上の位置は、前記踵部を当該靴の踵側から見たとき、前記靴底の中央部から外側にずれた位置に設けられることを特徴とする、妊婦用靴。
【請求項２】
前記踵部の靴底上の位置は、前記靴底の中央部から外側に５ｍｍから８ｍｍずれた位置に位置する、請求項１に記載の妊婦用靴。
【請求項３】
前記踵部は、前記靴底の中央部から外側にずれた位置から上方に向かって、内側に傾斜している、請求項１または２に記載の妊婦用靴。
【請求項４】
前記甲皮部はその踵側で内側と外側の甲皮部にＶ字状に分割され、前記内側と外側の甲皮部の下部には、前記内側と外側の甲皮部に重なるように舌片部が設けられる、請求項１から３のいずれかに記載の妊婦用靴。
【請求項５】
前記内側と外側の甲皮部の下部と、前記舌片部とは、面ファスナで着脱自在に取付けられる、請求項４に記載の妊婦用靴。
【請求項６】
足の甲を覆う甲皮部と、前記甲皮部に連続する内側側皮部および外側側皮部と、前記内側および外側の側皮部が前記甲皮部の反対側で当接する部分に設けられ、踵を保持する踵部とを備えた妊婦用靴であって、
当該靴の上部に設けられ、足の踵を受入れる踵受入れ開口部と、
足の踵を下から支える踵支え部とを含み、
前記踵受入れ開口部の幅方向の中心と、前記踵支え部の幅方向の中心とを結ぶ仮想中心線は、足の載置面に対して靴の内側に斜めに延びる、妊婦用靴。
【請求項７】
足の甲を覆う甲皮部と、前記甲皮部に連続する内側側皮部および外側側皮部と、前記内側および外側の側皮部が前記甲皮部の反対側で当接する部分に設けられ、踵を保持する踵部とを備えた妊婦用靴であって、
当該靴の上部に設けられ、足の踵を受入れる踵受入れ開口部と、
足の踵を下から支える踵支え部とを含み、
前記踵受入れ開口部と前記踵支え部とを当該靴の踵側から見たとき、前記踵受入れ開口部は、前記踵支え部に対して、当該靴の内側にずれている、妊婦用靴。
【請求項８】
足の甲を覆う甲皮部と、前記甲皮部に連続する内側側皮部および外側側皮部と、前記内側および外側の側皮部が前記甲皮部の反対側で当接する部分に設けられ、踵を保持する踵部とを備えた妊婦用靴であって、
当該靴の踵部において高さ方向における最も踵側に突出した位置における足の底の投影面は、当該靴の足が載置される靴底部における足の底の投影面に対して、靴の内側にずれている、妊婦用靴。
【発明の詳細な説明】
【技術分野】
【０００１】
この発明は妊婦用靴に関し、特に、妊婦にとって履きやすい妊婦用靴に関する。
【背景技術】
【０００２】
妊婦はホルモンのバランスが変化し、腹部が突出し、骨盤の支持靱帯や結合組織が弛緩し、体幹が後傾し、骨盤がゆがんでくる。妊婦は、このような体型になると、通常の靴では履きにくくなる。
【０００３】
このような妊婦にとっても履きやすい靴が、たとえば特開平１１−１１３６０９号公報（特許文献１）に開示されている。
【０００４】
特許文献１に開示された靴においては、靴のヒール部分に、外側後端部と、内側後端部によって覆われる踵覆い部を設け、外側後端部には留め具と、その留め具掛けを有したバンドを設け、これが内側後端部に設けたバンド通しを通って、折り返されることで、ちょうど留め具で固定できる位置に来るようになっている。
【特許文献１】特開平１１−１１３６０９号公報（段落番号０００４）
【発明の開示】
【発明が解決しようとする課題】
【０００５】
従来の、妊婦にとっても履きやすい靴は、上記のように構成されていた。靴の脱ぎ履きの際に、ベルトを緩めたり、締めたりすることで、靴の着脱を容易にしていた。しかしながら、このような構成だけでは、妊婦にとって履きやすいものではなかった。
【０００６】
というのは、妊婦は、骨盤の両脚を支持する部分に胎児を保持するために、股関節が開いてくる。これによって、重心位置が通常より外側に位置し、いわゆる、がに股形状になり、歩行時には足の外側に力がかかるようになる。しかしながら、従来の靴は、それに対する対処がなされていないためである。また、妊婦は、上記のように体幹が後傾して、後側に反り返るようになるが、これに対しても何らの対策が施されていなかったためである。
【０００７】
この発明は、上記のような課題に鑑みてなされたもので、妊婦にとって履きやすい靴を提供することを目的とする。
【課題を解決するための手段】
【０００８】
この発明にかかる妊婦用靴は、足の甲を覆う甲皮部と、甲皮部に連続する内側側皮部および外側側皮部と、内側および外側の側皮部が甲皮部の反対側で当接する部分に設けられ、踵を保持する踵部とを備えており、踵部の靴底上の位置は、踵部を当該靴の踵側から見たとき、靴底の中央部から外側にずれた位置に設けられる。
【０００９】
妊婦は、重心位置が外側にずれ、このずれた重心位置を踵で受ける必要がある。この発明に係る妊婦用靴においては、踵の位置を靴底の中央部から外側にずれた位置に設けたため、妊婦の重心位置と一致する。その結果、妊婦にとって履きやすい靴を提供できる。
【００１０】
妊婦は、妊娠の月令によって、重心位置が外側にずれていく。したがって、踵部の靴底上の位置は、靴底の中央部から外側に５ｍｍから８ｍｍずれた位置に位置するのが好ましい。
【００１１】
月令による重心位置ずれに対処するために、踵部は、靴底の中央部から外側にずれた位置から上方に向かって、内側に傾斜していてもよい。
【００１２】
好ましくは、甲皮部はその踵側で内側と外側の甲皮部にＶ字状に分割され、内側と外側の甲皮部の下部には、内側と外側の甲皮部に重なるように舌片部が設けられる。
【００１３】
さらに好ましくは、内側と外側の甲皮部の下部と、舌片部とは、面ファスナで着脱自在に取付けられる。
【００１４】
この発明の他の局面においては、妊婦用靴は、足の甲を覆う甲皮部と、甲皮部に連続する内側側皮部および外側側皮部と、内側および外側の側皮部が甲皮部の反対側で当接する部分に設けられ、踵を保持する踵部とを備えている。妊婦用靴は、当該靴の上部に設けられ、足の踵を受入れる踵受入れ開口部と、足の踵を下から支える踵支え部とを含み、踵受入れ開口部の幅方向の中心と、踵支え部の幅方向の中心とを結ぶ仮想中心線は、足の載置面に対して靴の内側に斜めに延びる。
【００１５】
この発明のさらに他の局面においては、妊婦用靴は、足の甲を覆う甲皮部と、甲皮部に連続する内側側皮部および外側側皮部と、内側および外側の側皮部が甲皮部の反対側で当接する部分に設けられ、踵を保持する踵部とを備える。妊婦用靴は、当該靴の上部に設けられ、足の踵を受入れる踵受入れ開口部と、足の踵を下から支える踵支え部とを含み、
踵受入れ開口部と踵支え部とを当該靴の踵側から見たとき、踵受入れ開口部は、踵支え部に対して、当該靴の内側にずれている。
【００１６】
この発明のさらに他の局面によれば、妊婦用靴は、足の甲を覆う甲皮部と、甲皮部に連続する内側側皮部および外側側皮部と、内側および外側の側皮部が甲皮部の反対側で当接する部分に設けられ、踵を保持する踵部とを備える。当該靴の踵部において高さ方向における最も踵側に突出した位置における足の底の投影面は、当該靴の足が載置される靴底部における足の底の投影面に対して、靴の内側にずれている。
【発明を実施するための最良の形態】
【００１７】
以下、この発明の一実施の形態を図面を参照して説明する。図１（Ａ）は、この発明の一実施形態にかかる妊婦用靴（左足用）を示す平面図であり図１（Ｂ）および図１（Ｃ）は、図１（Ａ）において、Ｂ-Ｂで示す矢視図である。
【００１８】
図１を参照して、妊婦用靴１０は、足を載置する靴底１１と、靴底１１に連続して足の甲を覆う舌片部１２と、足の一方側面を覆い舌片部１２上に部分的に重なる内側甲皮部１３と、足の他方側面を覆い舌片部１２上に部分的に重なる外側甲皮部１４と、内側甲皮部１３の踵側に連続して設けられた内側側皮部１５と、外側甲皮部１４に連続して踵側に設けられた外側側皮部１６とを有し、内側甲皮部１３と外側甲皮部１４とは、ゴム製の接続バンド１７ａ、１７ｂで接続されている。ここで、内側とは、足の親指が存在する側をいい、外側とは、その反対側をいう。
【００１９】
内側と外側の甲皮部１３，１４は、先端部では等分されずに、外側の甲皮部１４が内側から曲線で中央部に至り、そこで、左右に等分された形状を有している。この形状は、妊婦に対して、歩行時の重心移動方向を示唆している。すなわち、妊婦は、重心をまず、踵において、その後、まっすぐ上に向けて、最後に親指の方へ重心を移動するように歩行すれば、楽に歩行が可能になる。
【００２０】
内側と外側の甲皮部１３，１４は、この等分された位置から手前側にＶ字状の切れ目を有し、それぞれは、ゴム製の接続バンド１７ａ，１７ｂで接続されている。このような構成であれば、甲皮部１３，１４は容易に持ち上がり、妊婦は容易に妊婦用靴１０を履くことができる。
【００２１】
内側側皮部１５と外側側皮部１６とは、妊婦の踵部で結合されるが、このとき、両側皮部１５，１６の踵側端部は踵当部１８で補強して接続されている。すなわち、図１（Ｂ）に示すように、踵当部１８は一定の幅を有し、その両端部において、縫い目１８ａ，１８ｂで両側皮部１５，１６と踵当部１８とを接続している。
【００２２】
この発明に係る妊婦用靴は、従来の靴と異なり、妊婦の踵が位置する踵当部１８が、靴１０を踵側から見たとき、靴底１１の中央部ではなく、外側にずれて位置している。すなわち、この実施の形態に係る妊婦用靴においては、踵当部１８の中心位置（図１（Ｂ）において、一点鎖線で示す）は、靴底１１の外側に位置している。
【００２３】
妊婦は上記したように、重心位置が外側にずれ、このずれた重心位置を踵で受ける必要がある。この発明に係る靴においては、踵の位置を従来に比べて外側に設けたため、妊婦の重心位置と一致する。その結果、妊婦にとって履きやすい靴を提供できる。
【００２４】
次にこの発明に係る妊婦用靴１０の踵部が、通常の靴に比べて、どの程度中心位置がずれているかを説明する。図２は、通常の靴と、この発明に係る妊婦用靴との差を示す図である。図２（Ａ）は、通常の靴の踵部を踵側から見た状態を示す模式的断面図であり、図２（Ｂ）は、この発明の一実施の形態における靴の踵部を踵側から見た状態を示す模式的断面図であり、図２（Ｃ）は、この発明の他の実施の形態における靴の踵部を踵側から見た状態を示す模式的断面図である。ここでは、理解の容易のために図形を単純化して、足の踵を下から支える踵支え部を有する靴底１１，５４や、内側外側の側皮部５１ａ〜５３ａ，５１ｂ〜５３ｂと足の踵を受入れる踵受入れ開口部５０とで構成される空間の断面を矩形状で表わしている。
【００２５】
図２（Ａ）に示すように、通常の靴においては、靴底１１の幅方向の両端部の直上に内側側皮部５１ａと外側側皮部５１ｂとが設けられる。これに対して、この発明の一実施の形態に係る妊婦用靴においては、図２（Ｂ）に示すように、靴底１１は通常の靴と同じとしても、靴に踵を挿入する踵受入れ開口部５０が、靴底１１上の踵支え部に対して靴の内側にずれて位置するため、靴底の中央部と開口部の中央部とを結ぶ仮想線５３は靴底に垂直にならずに、鋭角ａを形成する。
【００２６】
すなわち、踵受入れ開口部５０の幅方向の中心と、踵支え部の幅方向の中心とを結ぶ仮想中心線５３は、足の載置面に対して靴の内側に斜めに延びている。
【００２７】
また、図２（Ｃ）に示す他の実施の形態においては、踵受入れ開口部５０の位置および幅方向の寸法は従来の図２（Ａ）に示したとおりであるため、内側側皮部５３ａは通常の靴と同じ位置に設けられるが、靴底５４の幅が靴の外側に広がっており、外側側皮部５３ｂは開口部側では狭く、靴底側の踵支え部では幅方向に広がった形状を有している。すなわち、この実施の形態においては、踵受入れ開口部と踵支え部とを当該靴の踵側から見たとき、踵受入れ開口部は、踵支え部に対して、当該靴の内側にずれている。
次に、この発明に係る妊婦用靴のさらに他の実施の形態について説明する。図３は、この実施の形態における妊婦用靴を示す図である。図３（Ａ）は、妊婦用靴をその長手方向側面から見た側面図であり、図３（Ｂ）は、図３（Ａ）において、矢印Ｂ方向から見た平面図を踵部を下にして示した図である。図３（Ａ）においてＭ、Ｌで示した位置の水平投影面形状が、図３（Ｂ）におけるＭ，Ｌで示されている。ここで、Ｍの位置は、妊婦用靴の踵部において高さ方向における最も踵側に突出した位置を示し、Ｌの位置は、当該靴の足が載置される靴底部を示す。このように、妊婦用靴の踵部において高さ方向における最も踵側に突出した位置における足の底の投影面は、足が載置される靴底部における足の底の投影面に対して、靴の内側にずれている。
【００２８】
次に、妊婦用靴の踵部が靴のどの部分からずれているのかについて説明する。図４（Ａ）は、図１に示した妊婦用靴（図中実線２０で示す）と従来の通常の靴（図中点線２１で示す）の形状のずれを示す平面図であり、図４（Ｂ）は、図４（Ａ）において、矢印Ｂ-Ｂで示す方向から見た矢視図である。
【００２９】
図４（Ｂ）に示すように、従来の通常の靴においては、その踵部の中心線２３（２点鎖線で示す）は、靴を踵側から見たとき、靴底１１のほぼ中央に位置していた。これに対して、この実施の形態に係る妊婦用靴においては、図４（Ｂ）において一点鎖線２２で示すように、靴底の中心部から外側にずれた位置に踵が位置する。このずれの量ｄ１は、妊婦の妊娠月令に応じて変わり、通常、５ｍｍ（妊娠３〜４ヶ月）から８ｍｍ程度（妊娠１０ヶ月）である。
【００３０】
したがって、実際は、妊娠月令に応じて、踵のずれた靴を履くのが好ましい。しかしながら、これは現実的ではないので、図１（Ｃ）に示すように、踵当部の位置を、靴底の中央部から外側にずれた位置から上方に向けて順に中央部に向けて、上下でｄ２だけ外側に順にずれた、踵当部１９を設けても良い。
【００３１】
次に、通常の靴と、この実施の形態における妊婦用靴との平面における差について説明する。図４（Ａ）を参照して、妊婦用靴においても、足のつま先側から中足骨アーチ（図４（Ａ）において、一点鎖線２８で示す）の位置する位置までは、通常の靴と同様である。妊婦用の靴は、中足骨アーチ２８の位置から踵側において、靴底の延びる方向が、図中一点鎖線で示すように外側にずれる。なお、図４（Ａ）において、実線２０で示す妊婦用靴の開口部と、中足骨アーチの中央部２８ａから延びる一点鎖線との交点２２ａから靴底方向へ延ばした線が、図４（Ｂ）の一点鎖線２２に対応し、点線２１で示す通常の靴の開口部と、中足骨アーチの中央部２８ａから延びる２点鎖線との交点２３ａから靴底方向へ延ばした線が、図２（Ｂ）の２点鎖線２３に対応する。
【００３２】
なお、この実施の形態においては、妊婦用靴の踵部が、靴底の中足骨アーチ２８の中央部２８ａを基準として踵方向にずれる場合について説明したが、これに限らず、靴底の中央部を基準として、そこから外側にずれるようにしてもよい。
【００３３】
この場合の妊婦用靴を上から見た平面図を図５に示す。図５に示すように、この実施の形態においては、靴底３０の長手方向の中心線３８と幅方向の中心線３９との交点３８ａを基準点として、そこから踵方向に線３９ａで示すようにずれている。
【００３４】
次にこのような妊婦用靴の全体形状について説明する。図６は図１および図４に示した妊婦用靴１０の斜視図である。ここでは、理解の容易のために、踵当部として、図１（Ｃ）に示した踵当部１９を用いた場合を示している。なお、ここで、踵当部１９の上端部において縫い目２５ａの上側は内部にクッション材を含むクッション部２５となっている。これによって、妊婦の踵はより保護される。なお、このクッション部２５は、図１においても示している。
【００３５】
このようなクッション材を含む部分は舌片部１２の足の甲に当接する部分にクッション部１２ａとして設けてもよい。このようなクッション部を靴の開口部の周囲に設ければ、靴を履くときに巻き込みが無くなり、より履き易くなる。また、このようなクッション部の形状としては、中央部を厚く、端部に行くほど狭くなるようにするのが好ましい。このようにすれば、クッション材の位置によって、クッション材の巻き込まれ易さが異なり、より巻き込まれ難くなる。
【００３６】
次に、甲皮部１３，１４の詳細について説明する、図７は、舌片部１２と内側および外側の甲皮部１３，１４とを踵側から見た詳細図である。図７（Ａ）においては、理解の容易のために、内側甲皮部１３の踵側の端部を持ち上げている。
【００３７】
図７（Ａ）を参照して、ここでは、甲皮部１３，１４の下面と舌片部１２の上面には面ファスナ３１ａ，３１ｂが設けられている。このように、甲皮部１３，１４と舌片部１２とが面ファスナ３１ａ，３１ｂで接続されているため、妊婦用靴１０の着脱はより容易になる。
【００３８】
図７（Ｂ）は、図７（Ａ）の変形例を示す図である。ここでは、舌片部１２の左右両端部下面と、内側及び外側の甲皮部１３，１４の内部とがゴム３３ａ，３３ｂで接続されている。このようにしても、舌片部１２を容易に持ち上げて、開口部を広げることができるため、より履きやすくなる。
【００３９】
次に、甲皮部の他の実施の形態について説明する。図８（Ａ）は、甲皮部の他の実施の形態を示す図である。図８（Ａ）を参照して、この実施の形態においては、甲皮部４１は内側甲皮部４１ａと外側甲皮部４１ｂとからなり、両者は、Ｖ字状のゴム４２で接続されている。このＶ字状ゴム４２の設けられる位置は、中足骨アーチ２８の外側（好ましくは、足の外側から１／３程度）であり、Ｖ字の先端部の延びる方向は、妊婦の足の中足骨アーチ２８の延びる方向（図８において一点鎖線２８で示す）に直交する方向である。
【００４０】
このようにすることによって、妊婦が歩行するときに中足骨アーチの外側において、足を自由に動かすことができ、より歩きやすくなる。
【００４１】
次に、図８（Ａ）に示した甲皮部の変形例について説明する。図８（Ａ）においては、内側甲皮部４１ａと外側甲皮部４１ｂとの間をＶ字状のゴムで接続したが、この変形例では、このＶ字状部分を内側甲皮部と外側甲皮部とが重なった部分として形成する。この場合の平面図を図８（Ｂ）に示し、図８（Ｂ）において矢印Ｃ-Ｃで示す部分の矢視図を図８（Ｃ）に示す。図８（Ｂ）と（Ｃ）とを参照して、Ｖ字状部分４３は、内側甲皮部４１ａに連続して設けられた上側Ｖ字状部４３ａと、その下に重なるように設けられた下側部分４３ｂとからなる。ここでは、理解の容易のために、上側Ｖ字状部４３ａを捲り挙げた状態で示している。上側Ｖ字状部４３ａの下面、およびそれに重なる下側部分４３ｂには、図に示すように、平面ファスナ４４ａ、４４ｂがそれぞれ設けられて、両者は、着脱自在に一体化される。
【００４２】
また、上側Ｖ字状部４３ａの下面、およびそれに重なる下側部分４３ｂの下面には、両者を接続するための接続ゴム４５が設けられており（図中、接続ゴムの中央部は線で示している）、これによっても、上側Ｖ字状部４３ａと下側部分４３ｂとは着脱自在に一体化される。なお、面ファスナ４４ａ，４４ｂと接続ゴム４５とのいずれか一方のみを設けてもよい。
【００４３】
また、上記実施の形態においては、左足用の妊婦用靴について説明したが、右足用も同様である。
【００４４】
また、踵当部の靴底からのずれ量が異なる靴を複数セットで準備してもよい。
【００４５】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００４６】
この発明にかかる、靴は、踵の位置を靴底の中央部から外側にずれた位置に設けたため、妊婦の重心位置と一致する。その結果、妊婦にとって履きやすい靴として有利に利用される。
【図面の簡単な説明】
【００４７】
【図１】この発明の一実施の形態にかかる妊婦用靴の平面図（Ａ）および（Ａ）において、矢印Ｂ−Ｂで示す部分の矢視図（Ｂ，Ｃ）である。
【図２】妊婦用靴と通常の靴との差を示す模式図である。
【図３】妊婦用靴の他の実施の形態を示す図である。
【図４】妊婦用靴と通常の靴との差を示す図である。
【図５】妊婦用靴と通常の靴と踵部のずれを示す平面図である。
【図６】妊婦用靴の斜視図である。
【図７】甲皮部と舌片部との接続状態を示す図である。
【図８】甲皮部の他の例を示す図である。
【符号の説明】
【００４８】
１０  妊婦用靴、１１  靴底、１２  舌片部、１３  内側甲皮部、１４  外側甲皮部、１５  内側側皮部、１６  外側側皮部、１８，１９  踵当部、２０  妊婦用靴の開口、２５  クッション部。
【図１】
2007054302.tif 000003
【図２】
2007054302.tif 000004
【図３】
2007054302.tif 000005
【図４】
2007054302.tif 000006
【図５】
2007054302.tif 000007
【図６】
2007054302.tif 000008
【図７】
2007054302.tif 000009
【図８】
2007054302.tif 000010